(57)【特許請求の範囲】
【請求項１】
前面に後部ヘア処理部が設けられ、上部と両側部には頂部へア処理部と側部ヘア処理部がそれぞれ前向きに設けられるとともに顔面加湿処理用の加湿用気体噴霧部材が設けられるヘッドを各処理部に囲まれる空間部分が被施術者の頭部位置に対応して位置調整できるように支持した理美容装置であって、前記した後部ヘア処理部は、縦型のヘッドの前面に同時あるいは個別に作動させることのできる複数の処理部を上下に並設したものとする一方、前記した頂部ヘア処理部は、前記したヘッドのケーシングに可動機構を介して取付けられていて同時あるいは個別に作動させることのできる前後の処理部を有していて、可動機構によって被施術者の頭部位置に対して接離自在で、且つ、ヘッド位置が下がっても頭部が当たらない位置まで起立できるように起伏自在とすることにより肩より下の髪にも対応できるものとしてあり、また、前記ヘッドに加湿用気体発生機構を内蔵させる一方、前記した各処理部に加熱機と送風機を設けるとともに各処理部のうち少なくとも後部ヘア処理部と側部ヘア処理部には前記加湿用気体発生機構に続かせたヘア加湿処理用の噴霧ノズルを設けてあり、さらに前記加湿気体発生機構には先端を顔面加湿処理用の噴霧ノズルとされた加湿用気体噴霧部材を続かせてあり、さらにまた、前記した頂部へア処理部と側部ヘア処理部とはいずれもストッパ機構により最小開度を設定できるものとしてあることを特徴とする理美容装置。
【請求項２】
各処理部の加熱機が遠赤外線によるものである請求項１に記載の理美容装置。
【請求項３】
送風機がファンと送風を送風口までガイドする風ガイド筒とからなる請求項２に記載の理美容装置。
【請求項４】
側部ヘア処理部がヘッドのケーシングに可動機構を介して取り付けられて角度調節自在としてある請求項１から３のいずれかに記載の理美容装置。
【請求項５】
可動機構が摩擦抵抗式枢軸である請求項４に記載の理美容装置。
【請求項６】
可動機構が変形自在なアームである請求項４に記載の理美容装置。
【請求項７】
可動機構がローラ式枢動機構である請求項４に記載の理美容装置。
【請求項８】
可動機構にストッパ機構が組み込まれている請求項４〜７のいずれかに記載の理美容装置。
【請求項９】
可動機構に角度調整ストッパ機構が組み込まれている請求項４〜７のいずれかに記載の理美容装置。
【請求項１０】
可動機構がロックピン付回動枠機構である請求項４に記載の理美容装置。
【請求項１１】
後部ヘア処理部が、ヘッドに固定されている請求項１〜１０のいずれかに記載の理美容装置。
【請求項１２】
加湿用気体噴霧部材が、ヘッドの両側または片側に設けられた外部接続口に基端が取り付けられる屈曲自在な長尺ホースの先端に顔面加湿処理用の噴霧ノズルを設けたものである請求項１〜１１のいずれかに記載の理美容装置。
【請求項１３】
加湿用気体噴霧部材が、基部をヘッドに枢着させるとともに中間において屈曲可能としたアームパイプの先端に顔面加湿処理用の噴霧ノズルを設けたものである請求項１〜１１のいずれかに記載の理美容装置。
【請求項１４】
ヘッドを少なくとも上下方向と横方向に移動自在なものとしてある請求項１〜１３のいずれかに記載の理美容装置。
【請求項１５】
ヘッドを上下方向に移動させる機構が、建物に取り付られた上下枢動自在なヘッド取付用アームと、地上に設けられる高さ調整自在なヘッド取付用ワゴンと、地上に設けられる高さ調整自在なヘッド取付用キャスタ付きスタンドと、地上に設けられる高さ調整自在な被施術者用椅子のうちから選ばれた１つまたはこれらを組み合わせたものである請求項１４に記載の理美容装置。
【請求項１６】
ヘッドを上下方向に移動させる機構のうち、ヘッド取付用ワゴンまたはヘッド取付用キャスタ付きスタンドには、動き止めストッパ機構が設けられている請求項１５に記載の理美容装置。
【請求項１７】
ヘッドを横方向に移動させる機構が、建物に取付られた水平回動自在なヘッド取付用アームと、水平回動自在なヘッド取付用ワゴンと、水平回動自在なヘッド取付用キャスタ付きスタンドのいずれかである請求項１４に記載の理美容装置。
【請求項１８】
ヘッドを横方向に移動させる機構のうち、ヘッド取付用ワゴンまたはヘッド取付用キャスタ付きスタンドには、足押し部が設けられている請求項１７に記載の理美容装置。
【請求項１９】
噴霧ノズルのノズル部は先端が偏平とされている請求項１〜１８のいずれかに記載の理美容装置。
【請求項２０】
噴霧ノズルのノズル部に液垂れ防止機構が設けられたものである請求項１〜１９のいずれかに記載の理美容装置。
【請求項２１】
液垂れ防止機構が、ノズル部の先端内周面に設けられた環状の堰と、ノズル部の外周に巻装したヒータと、ノズル部の外周に噴霧口より先端を張出させて嵌着した吸水体のいずれかまたはこれらを組み合わせたものである請求項２０に記載の理美容装置。
【請求項２２】
液垂れ防止機構のうち、ノズル部の先端内周面に設けられた環状の堰はその内周端縁が鋭角に形成されている請求項２１に記載の理美容装置。
【請求項２３】
加湿用気体発生機構が、蒸気発生機構とミスト発生機構とよりなるものである請求項１〜２２のいずれかに記載の理美容装置。
【請求項２４】
加湿用気体発生機構には、蒸気発生機構により発生された蒸気とミスト発生機構により発生されたミストとを混合する混合器が組み込まれている請求項２３に記載の理美容装置。
【請求項２５】
混合器で混合された蒸気とミストとの混合気体が、混合器に続く開閉弁を設けた分岐部を介して各噴霧ノズルに分岐される請求項２４に記載の理美容装置。
【請求項２６】
分岐部に接続される混合気体送出管に複数の接続口が形成された結露タンクが接続されている請求項２５に記載の理美容装置。
【請求項２７】
加湿用気体発生機構から噴霧ノズルまでの間の所要部分にトルマリンまたは浄水用のセラミックが設けられている請求項１〜２６のいずれかに記載の理美容装置。
【請求項２８】
トルマリンまたは浄水用のセラミックが塊状または粒状で、これを加湿用気体発生機構の内部に装填してある請求項２７に記載の理美容装置。
【請求項２９】
トルマリンまたは浄水用のセラミックが粉粒状で、この粉粒状のトルマリンまたは浄水用のセラミックを混在させたプラスチックにより加湿用気体発生機構から噴霧ノズルまでの間の少なくとも一部が成形されている請求項２７に記載の理美容装置。
【請求項３０】
後部ヘア処理部と頂部ヘア処理部と側部ヘア処理部に囲まれる空間部分を遮蔽材部により覆う請求項１から２９のいずれかに記載の理美容装置。
【請求項３１】
遮蔽部材が交換自在である請求項３０に記載の理美容装置。
【請求項３２】
遮蔽部材が難燃性よりなる請求項３０または３１に記載の理美容装置。
【請求項３３】
遮蔽部材が後部ヘア処理部と頂部ヘア処理部と側部ヘア処理部に対して取付けられていて頂部ヘア処理部と側部ヘア処理部の動きに対応するよう伸縮自在である請求項３０または３１に記載の理美容装置。
【請求項３４】
遮蔽部材が通気性または遠赤外線反射性または感温性よりなる請求項３０から３２のいずれかに記載の理美容装置。
【請求項３５】
後部ヘア処理部と頂部ヘア処理部と側部ヘア処理部に被施術者の髪までの距離を測る測距機構を取り付けた請求項１から３４のいずれかに記載の理美容装置。
【発明の詳細な説明】
【０００１】
【発明の属する技術分野】
本発明は、美容院や理容院に配備されて、頭部の毛髪に対してヘアカラー、ヘアマニキュア、ヘアダイ、トリートメント、パーマネント、乾燥、ウェーブ等の各種ヘア処理を的確に行なうことができるのみならず、フェイシャル施術等の美顔処理をも行なうこともできる理美容装置に関するものである。
【０００２】
【従来の技術】
従来、美容院や理容院に配備される理美容装置としては、ドライヤやヘアスチーマを組み込んだボンネット型のヘア処理装置が一般的に用いられているが、ボンネット型のヘア処理装置は、被施術者の頭部全体を被套する構造となっているため被施術者の頭部を被套した状態ではヘア処理を行なうことはできないという問題があった。しかもボンネット型のヘア処理装置によるヘア処理中は顔面への施術も行なうことができないという問題があった。また従来の理美容装置ではヘアカラー、ヘアマニキュア、ヘアダイを行なう際には、頭にヘアキャップを被せたり、食品包装用ラップフィルムで頭を覆ったりしたうえボンネットを被套して髪をスチーム加熱し、髪に水分を与えつつ薬剤の反応温度に加熱していた。ヘアキャップや食品包装用ラップフィルムで頭を覆うのはスチーム量が少なく加熱により髪の水分が失われるのを防ぐためである。被施術者はヘアキャップや食品包装用ラップフィルムにより不快感を感じるうえ、被套されるボンネットにより圧迫感を感じるという問題があった。またドライヤやヘアスチーマ等の装置はボンネット部に組み込まれるので、重心が高くなって不安定で移動時に転倒を起こす恐れがあった。さらに、ヘア処理用の薬液を使用するとボンネットに薬臭が染み付いて被施術者に不快感を与えるという問題もあった。
【０００３】
またボンネット式ではなくヘアスチーマを取り付けた開放型のものも提案されているが、開放型のために髪全体を均一にスチーム加熱するには、モータ等によりヘアスチーマを回転させる必要があった。しかし構造上回転させても髪を均一にスチーム加熱することが難しいうえにスチーム量が少ないためヘアキャップや食品包装用ラップフィルムをなくすることはできなかった。しかもヘアスチーマを頭部の周囲で回転させる駆動機構は構造が複雑で故障の原因となり易いうえ長期間耐用できないという問題があった。しかも部品数が増し安価に製造できないという問題があった。さらに駆動機構は上方に設けられるためボンネット型と同様重心が高くなり、移動時に不安定となる問題があった。さらにこれらの装置で、肩より長い髪を処理することは不可能なため、手持ちのドライヤを用いて処理しなければならなかった。そこで、本出願人はこのような問題を解消するための装置として、特許出願２０００−３８５３７０号のヘア処理装置を先に出願したが、この装置はヘア処理機能しかないため、顔の手入れなどフェイシャル施術を行なうための装置が別に必要となり、設備投資費用が嵩むうえに、２種類の装置を室内に配置することは場所取るために理美容作業が阻害されるという問題があった。
【０００４】
【発明が解決しようとする課題】
本発明が解決しようとするところは、前記のような問題を解決して、キャップ等を用いることなくヘアカラーやヘアマニキュア、ヘアダイ等のヘア処理を行なうことができるばかりでなく、顔面への加湿などの美顔機能をも有していて、１台でヘア処理をしながらフェイシャル施術を併せ行うこともできる理美容装置を提供することにある。
【０００５】
【課題を解決するための手段】
前記した課題を解決した本発明の理美容装置は、前面に後部ヘア処理部が設けられ、上部と両側部には頂部へア処理部と側部ヘア処理部がそれぞれ前向きに設けられるとともに顔面加湿処理用の加湿用気体噴霧部材が設けられるヘッドを各処理部に囲まれる空間部分が被施術者の頭部位置に対応して位置調整できるように支持した理美容装置であって、前記した後部ヘア処理部は、縦型のヘッドの前面に同時あるいは個別に作動させることのできる複数の処理部を上下に並設したものとする一方、前記した頂部ヘア処理部は、前記したヘッドのケーシングに可動機構を介して取付けられていて同時あるいは個別に作動させることのできる前後の処理部を有していて、可動機構によって被施術者の頭部位置に対して接離自在で、且つ、ヘッド位置が下がっても頭部が当たらない位置まで起立できるように起伏自在とすることにより肩より下の髪にも対応できるものとしてあり、また、前記ヘッドに加湿用気体発生機構を内蔵させる一方、前記した各処理部に加熱機と送風機を設けるとともに各処理部のうち少なくとも後部ヘア処理部と側部ヘア処理部には前記加湿用気体発生機構に続かせたヘア加湿処理用の噴霧ノズルを設けてあり、さらに前記加湿気体発生機構には先端を顔面加湿処理用の噴霧ノズルとされた加湿用気体噴霧部材を続かせてあり、さらにまた、前記した頂部へア処理部と側部ヘア処理部とはいずれもストッパ機構により最小開度を設定できるものとしてあることを特徴とするものである。
【０００６】
【発明の実施の形態】
次に、本発明の好ましい実施の形態を図に基づいて詳細に説明する。
図１において、１は蒸気発生機構２とミスト発生機構３とよりなる加湿用気体発生機構を内蔵させた扁平な縦型のヘッドである。このヘッド１はその前面に設けられた後部ヘア処理部４と、上部に設けられた頂部ヘア処理部５と、両側に設けられた側部ヘア処理部６、６とを有しており、各処理部に囲まれる空間部分が被施術者の頭部位置に対応して位置調整できるようになっている。また各処理部には送風機と加熱機が設けられ、各処理部のうち少なくとも後部ヘア処理部と側部ヘア処理部にはヘア加湿処理用の噴霧ノズルを設けてある。さらに、このヘッド１の下部両側には前記した蒸気発生機構２とミスト発生機構３とよりなる加湿用気体発生機構に接続させて、長尺ホースなどの加湿用気体供給管材１０１の先端に顔面加湿処理用の噴霧ノズルを設けた加湿用気体噴霧部材１００を続かせてある。
【０００７】
前記した後部ヘア処理部４と頂部ヘア処理部５と側部ヘア処理部６、６はいずれも処理面が１つであってもよいが、図示例における後部ヘア処理部４はヘッド１の前面に上下に配列されてそれぞれが独立して機能する複数の処理面４ａ、４ｂを有しており、また、この後部ヘア処理部４はヘッド１に固定されるものであるが、頂部ヘア処理部５と側部ヘア処理部６とはヘッド１のケーシングに所定の位置で保持させることができる可動機構７を介して取り付けられていて、被施術者の頭部位置に対して接離自在とされるものとしてある。特に頂部ヘア処理部５は可動機構７によって被施術者の頭部位置に対して接離自在とされるとともに後部ヘア処理部４で長い髪の下方を処理するために頭部に対するヘッド位置が下がった際に頭部が当たらない位置まで起立できるように起伏自在としてある。
【０００８】
一方、前記した加湿用気体噴霧部材１００は、図１、２、２８に示されるように、隣接する被施術者のシェービング前に髭や肌を柔らかくする理容およびフェイシャル施術等の美容処理を行なうこともできるようにヘッド１の一側または両側に設けられた長尺、且つ、屈曲自在なものである。また、ヘッド１は地上に置かれるスタンド或いは天井や壁面などのベース部材に上下位置調整機構９および左右位置調整機構１０を介して取り付られ上下方向および横方向に移動自在とされ、これにより前記した後部ヘア処理部４と頂部ヘア処理部５と側部ヘア処理部６、６とで囲まれる空間部分を被施術者の頭部位置に対応して調整できるものとしてある。
なお、この上下位置調整機構９および左右位置調整機構１０としては、水平回動および上下枢動自在なヘッド取付アーム１１でも、高さ調整自在な被施術者用椅子とヘッド取付用ワゴンやヘッド取付用キャスタ付きスタンドとの組合わせでも、高さ調整自在なヘッド取付用ワゴン或いは高さ調整自在なヘッド取付用キャスタ付きスタンドであってもよいもので、前記したヘッド取付アーム１１や高さ調整自在なヘッド取付用ワゴン、高さ調整自在なヘッド取付用キャスタ付きスタンドの場合は、被施術者用椅子は高さ調整機構がなくてもよい。
【０００９】
また、図４０に示されるような高さ調整ができないワゴンにヘッド１が装着される場合は、ヘッド１の上下位置を調整することができないので、図示しない高さ調整自在な被施術者用椅子を上下位置調整機構９とし、ヘッド取付用ワゴンの移動機能をもって左右位置調整機構１０とする。さらに、図４１に示されるようなヘッド取付用ワゴンは、スライド自在なワゴンの胴部をモータ駆動により高さ調整するものとして、左右移動機構１０をもつヘッド取付用ワゴン自体に上下位置調整機構９を持たせたものとしているので、この場合も被施術者用椅子は高さ調整機能がなくてもよい。
【００１０】
さらに、図１、２、３０、３１、３２に示されるようなヘッド取付用キャスタ付きスタンドは、スタンドの支柱をスライド自在なものとしてこの支柱を任意の長さにおいて固定ノブ１ｂにより締め付け固定することにより上下位置調整機構９の機能を持たせて高さ調整を行い、ヘッド取付用キャスタ付きスタンドの移動機能をもって左右移動機構１０としているものであって、このように高さ調整機能をもつものも、被施術者用椅子は高さ調整機能がなくてもよい。
【００１１】
さらに、図４２〜５０に示されるような、水平回動および上下枢動自在なヘッド取付アーム１１にヘッド１が装着される場合は、ヘッド取付アーム１１はヘッド１の上下および左右位置調整を行なうことができるので、高さ調整自在な被施術者用椅子はなくてもよいが、ヘッド取付用キャスタ付きスタンドは、図１、２、３０、３１、３２に示されるように、足押し部１２０が形成されたものとしてあり、この足押し部１２０によって装置を移動させる際に、ヘッド１を押したときにヘッド１の重みでヘッド１が前傾して転倒しそうになることを防ぎ、装置の移動を滑らかに行なわせることができるものとしてある。なお、図示しないが図４０、４１に示されるヘッド取付用ワゴンにおいても足押し部を設けておけば同様の効果が期待できるのでより好ましい。さらに図１、２、３０、３１、３２に示されるように、ヘッド取付用キャスタ付きスタンドに動き止めストッパ機構１３０が設けられたものとしてあり、この動き止めストッパ機構１３０によって装置を施術場所に動き止めし、施術中に装置が動くことを確実に防止して施術を邪魔することがないようにしている。特に装置の左右に設けられた加湿用気体噴霧部材１００を用いて装置の左右にいる被施術者に対して加湿気体を用いた施術を行なう際にはお互いの施術を邪魔することがなく効果的である。
【００１２】
前記動き止めストッパ機構１３０は図３３、３４に示されるように、ヘッド取付用キャスタ付きスタンドの支柱１３１と該支柱１３１とＵ字状のキャスタ枠１３２間に張架された取付枠１３３の下面に取り付けられる伸縮筒体１３４と該伸縮筒体１３４を伸長させるリンク機構１３５とからなる。伸縮筒体１３４は取付枠１３３の下面に取り付けた角形の筒体１３４ａと該角形の筒体１３４ａ内にスライド自在に嵌挿される角形のスライド筒体１３４ｂとからなり、該スライド筒体１３４ｂの下端には床面に圧接される滑り止め突起１４８が２個設けられている。リンク機構１３５は支柱１３１の基端に枢着され、中間部をスライド筒体１３４ｂに嵌挿されたピン１３６に嵌挿し、遊端部を足踏みペダル１３６ａとして取付枠１３３より外方に張出させたリンク杆１３７と、基端をピン１３６に枢着するとともに遊端部を足踏みペダル１３８ａとしたストッパ解除用の解放リンク１３８と、基端をピン１３６に枢着するとともに中間の屈曲部をストッパカム部１３９ａとしたストッパ杆１３９とからなる。また筒体１３４ａの側面にはストッパカム部１３９ａと当接するカム板１３４ｃが設けられている。該カム板１３４ｃは底面をストッパカム部１３９ａの上面を当接させるストッパ時当て面とし、その隅角部をストッパカム部１３９ａの側面を当接させる非ストッパ時当て面としている。
【００１３】
１４０はスライド筒体１３４ｂを常時上方に付勢するばねで、該ばね１４０は上端を取付枠１３３に係止するとともに下端をピン１３６に係止させたものであり、スライド筒体１３４ｂを常時上方に付勢することによりリンク杆１３７も反時計回り方向に付勢されて足踏みペダル１３６ａが起き上がり状態となるよう付勢させている。１４１はピン１３６をガイドするよう筒体１３４ａの側壁に形成された縦溝である。１４２はリンク杆１３７に形成される長溝であり、該長溝１４２にピン１３６は嵌挿されているので、支柱１３１に枢着されるリンク杆１３７が枢動する際、ピン１３６が縦溝１４１に押圧されて枢動が阻害されることを防止している。
【００１４】
１４３は解放リンク１３８を起き上がり状態に付勢するばねであり、該ばね１４３は一端を解放リンク１３８の基方部にブラケット１４２ａを介して係止するとともに他端を取付枠１３３に係止させたものである。ブラケット１４２ａを介してばね１４２を係止させたのは他のリンクと干渉することを避けるためである。１４４はブラケット１４２ａに立設されるストッパ解除レバーであり、該ストッパ解除レバー１４４は解放リンク１３８の解放動作の枢動にともなってストッパ杆１３９の前端片に当たりストッパ杆１３９を解放側に枢動させるものである。
【００１５】
１４５はストッパ杆１３９を反時計回り方向に付勢するばねであり、該ばね１４５の一端は筒体１３４ａに係止されるとともに他端をストッパ杆１３９の前端縁に係止させたものである。１４６はスライド筒体１３４ｂに取り付けられるガイドピンであり、該ガイドピン１４６は筒体１３４ａの縦溝１４１にガイドされるものである。なお、図示しないが図４０、４１に示されるヘッド取付用ワゴンにおいても動き止めストッパ機構１３０を設けておけばヘッド取付用キャスタ付きスタンドと同様の効果が期待できるのでより好ましい。
【００１６】
また、図３２において、１２１はヘッド１に必要に応じて取り付けられる手掛けハンドルであり、この手掛けハンドル１２１は装置を押して行く際に把持するとともに、装置の転倒を防止する役割をもつもので、このような手掛けハンドル１２１は図示されていないが、図１、４０に示されるヘッド取付用キャスタ付きスタンドやヘッド取付用ワゴンのヘッドに設けておくことが好ましい。
【００１７】
図１、２、３８、３８において１６０は遮蔽部材であり、該遮蔽部材１６０は後部ヘア処理部４と頂部ヘア処理部５と側部ヘア処理部６、６に囲まれる空間部分を覆い、エアコンディショナーの冷風や温風等の送風により施術中の髪の温度が部分的あるいは全体的に下がることを防止したり、後部ヘア処理部４や側部ヘア処理部６、６から噴霧されるミストがエアコンディショナーの冷風や温風等の送風により乱されて均一に髪に当たらなくなることを防止したりするものである。これは髪の温度が低下したり、部分的に温度がばらついたりすると、各種薬液の反応温度に達せず、色落ちや色斑ができたり、パーマネントのかかりが部分的に悪くなったりすることが生じるからである。またミストが均一に噴霧されないと髪の水分が部部的に不足して髪のパサつきを生じるからである。
【００１８】
また遮蔽部材１６０は図３８、３９に示されるように、左右一対のものとしている。また遮蔽部材１６０は後部ヘア処理部４、頂部ヘア処理部５、側部ヘア処理部６、６に対してファスナー１６１により取り付けて交換自在なものとしている。ファスナー１６１はホックその他のクリップ、吸盤、ループ繊維と樹脂フック（マジックテープ（登録商標））等よりなるものとしている。ループ繊維と樹脂フックよりなるファスナー１６１を用いる場合は、遮蔽部材１６０にループ繊維または樹脂フックを取り付け、後部ヘア処理部４、頂部ヘア処理部５、側部ヘア処理部６、６に樹脂フックまたはループ繊維を取り付けて交換自在なものとしている。さらに、遮蔽部材１６０は後部ヘア処理部４、頂部ヘア処理部５、側部ヘア処理部６、６等の処理部が可動したり、スイングしたり、回転したりするものである場合、その動きに対応できるよう材質そのものを伸縮するものとしたり、蛇腹状として伸縮自在にするものである。
【００１９】
また遮蔽部材１６０は難燃性のものとして加熱機１３の使用時に遮蔽部材１６０が燃えることを防止している。さらに遮蔽部材１６０に３つか５つ程の透孔１６２を透設して通気性を持たせたり、遮蔽部材１６０の素材自体に通気性をもたせたりすることにより、ヘア処理時における送風時やミスト噴霧時にその通気性を利用して送風やミストの一部を排気させて遮蔽部材１６０が風船のように膨らんで被施術者に不快感を与えたり施術に悪影響を与えることがないようにするものである。また遮蔽部材１６０にアルミニウムが含有される銀色塗料を塗布して遠赤外線反射性をもたせれば、加熱機１３による遠赤外線を無駄なく髪に反射させることができるので短時間で加熱することができるので、施術時間を短縮できることとなる。さらに遮蔽部材１６０に感温性のあるものを用いれば、施術空間内の温度が施術温度に達すると色が変わるので、施術を勘に頼ることなく確実に行なうことができる。感温性材の温度設定は施術温度の４０℃前後で発色するものとする他、４０℃、５０℃、６０℃の各温度で異なる色で発色するものとすれば各種施術に対応させることができる。
【００２０】
図３５、３６、３７における１７０は測距機構であり、該測距機構１７０は後部ヘア処理部４、頂部ヘア処理部５、側部ヘア処理部６、６から被施術者の髪までの距離を測るものである。被施術者の髪までの距離を測るのは後部ヘア処理部４、頂部ヘア処理部５、側部ヘア処理部６、６から被施術者の髪までの距離の違いにより、加熱温度や髪に噴霧されるミストの量が変わるため薬液の酸化や定着等にばらつきができ、色落ちや色斑ができたり、パーマネントのかかりが悪くなったり、髪が部分的にパサついたりするからである。測距機構１７０は実施形態において図３７に示されるような巻き取り式のメジャー１７１を用いているが、レーザや超音波、赤外線を用いた距離計を用いてヘッド等に取り付けた液晶モニタ等に距離を表示するものとしてもよいことは勿論である。
【００２１】
また前記したヘッド取付アーム１１は図４２〜図４７に示されるように、壁や天井に固定されるブラケット１１ａにアーム１１ｂを水平回動自在に軸支させるとともに、該アーム１１ｂの先端に伸縮アーム１１ｃの基端を上下枢動自在に軸支し、伸縮アーム１１ｃの先端にヘッド１を枢着した例である。さらに、図４８〜５０に示されるヘッド取付アーム１１は、アジャスタ機構をもって天井と床間に立設される固定スタンド１２に固定されるブラケット１１ａにアーム１１ｂを水平回動自在に軸支させるとともに、該アーム１１ｂの先端に伸縮アーム１１ｃの基端を上下枢動自在に軸支し、伸縮アーム１１ｃの先端にヘッド１を枢着した例であって、このようにヘッド取付アーム１１にヘッド１を装着するようにすれば、ヘッド１をヘッド取付用ワゴンやヘッド取付用キャスタ付きスタンドに装着した場合に比べて施術者の作業性はよりよくなる。
【００２２】
前記した後部ヘア処理部４には、図２０、２１あるいは図２３、２４に示されるように、それぞれが独立して機能する遠赤外線式の加熱機１３と送風機１４の他にミストの噴霧ノズル１５とが設けられている。この後部ヘア処理部４はやや上向きあるいは垂直として上下に並設され、上下の後部ヘア処理部４は同時にあるいは個別に作動させることができるものとしている。そして、ミストの噴霧ノズル１５には図１９や図５１に示されるように、蒸気発生機構２とミスト発生機構３よりなる加湿用気体発生機構により生成されて混合された混合ミストが供給されるものである。なお、加湿用気体発生機構の所要部分、例えば、噴霧ノズル１５のミスト通過路にはミストの殺菌や消臭、マイナスイオン化のためのトルマリン（電気石）が設けられる。
【００２３】
また、図示例における頂部ヘア処理部５は、図２６、２７に示されるように、遠赤外線による加熱機１３と送風機１４とが取り付けられ、ミストの噴霧ノズルは設けられていない。これは頂部ヘア処理部５にミストの噴霧ノズルを組み込むと、結露水の滴下防止機構を付けない限り結露水が滴下してヘア処理を阻害するうえに、被施術者に不快感を与えるおそれがあるからであって、的確な結露水滴下防止機構を付ければ、頂部ヘア処理部５にミストの噴霧ノズル１５を組み込んでもよい。また、頂部ヘア処理部５は前後に並設される複数の処理部を有するものとして前後の処理部は同時あるいは個別に機能させるようにしてある。さらに、頂部ヘア処理部５に設けられる遠赤外線による加熱機１３と送風機１４も同時あるいは個別に作動させることができるものが好ましい。また、前記したように頂部ヘア処理部５は可動機構７を介してヘッド１に枢着されて起伏自在とすることにより、肩から下にある髪を後部ヘア処理部４で処理する際には頂部ヘア処理部５を最大に起立させ、ヘッド１の下降や被施術者用椅子の上昇によって被施術者の頭部が頂部ヘア処理部５に当たることがないようにしている。また、可動機構７は頂部ヘア処理部５を任意の位置で動き止め保持できるものとして、最適なヘア処理が行なえるようにしている。
【００２４】
さらに、前記した両側の側部ヘア処理部６は、後部ヘア処理部４と同様、図２０〜２２あるいは図２３〜２５に示されるような遠赤外線による加熱機１３と送風機１４の外にミストの噴霧ノズル１５とが設けられているもので、両側の側部ヘア処理部６、６は同時にあるいは個別に作動させることができ、また、側部ヘア処理部６に設けられる遠赤外線による加熱機１３と送風機１４とミストの噴霧ノズル１５も同時にあるいは個別に作動させることができるものである。また、両側の側部ヘア処理部６はいずれも各別の可動機構７を介してヘッド１に枢着されるもので、この可動機構７により側部ヘア処理部６は任意の位置で動き止め保持できるものとして、最適なヘア処理が行なえるようにしている。そして、側部ヘア処理部６の噴霧ノズル１５も図１９や図５１に示される蒸気発生機構２とミスト発生機構３により生成されたミストが供給されるものであり、図５１に示されるようにミスト通過路にはミストの殺菌や消臭、マイナスイオン化のためのトルマリン１８０が設けられる。遠赤外線による加熱機１３と送風機１４を設けた各処理部を接離自在に頭部の周囲に配置させることにより、髪全体を加熱できるので、加熱機１３の遠赤外線による加熱と送風機１４からの弱い送風でも充分乾燥でき、従来のヘア処理装置のドライヤのように、強い竜巻状の吸引気流を生じさせて髪を強く攪拌させて髪全体への加熱不足を補う必要がなくなり髪を傷めることがない。
【００２５】
また、前記可動機構７は図４、１５、１６に示されるように、頂部ヘア処置部５や側部ヘア処理部６をヘッド１に取り付けるアーム１６に摩擦抵抗式枢軸を設けて停止させた位置で位置保持ができるようにしたものや、図７、８、９、１７、１８に示されるように、頂部ヘア処置部５や側部ヘア処理部６をフレキシブルチューブよりなるアーム１７を介してヘッド１に取り付けて位置保持を行ったり、図１０に示されるように、ローラ式ストッパ機構８０や図１１〜１４に示されるようにロックピン機構６１を用いて位置保持を行なうものとしている。図７、８、９に示されるアーム１７によるものは、屈曲位置で形状を維持できるものとなっているが、図１７、１８に示されるものは屈曲位置で正確且つ確実な位置決めを行なうために角度調整ストッパ機構１５０を付帯させたものである。
【００２６】
そして、図４に示される摩擦抵抗式枢軸の可動機構７は、ヘッド１側の軸支部１ａと頂部ヘア処理部５あるいは側部ヘア処理部６のアーム１６の軸支部１６ａとをブレーキ機構１８を介して枢着するもので、該ブレーキ機構１８は軸支部１ａの軸筒スペーサ１８ａの両端に螺着される軸ボルト１８ｂ、１８ｂと、一方の軸ボルト１８ｂの座面と軸支部１６ａ間に介在される複数の皿ばね１８ｃと、軸支部１ａと軸支部１６ａとの間に介在される一つの皿ばね１８ｃとよりなるものである。このように皿ばね１８ｃによるばね力により軸支部１ａと軸支部１６ａ間に抵抗を与えて、頂部ヘア処理部５や側部ヘア処理部６のアーム１６を任意の角度で動き止め保持するものである。
【００２７】
図１０に示される可動機構７は、ヘッド１側と頂部ヘア処理部５または側部ヘア処理部６側とをローラ式ストッパ機構８０を介して枢着するものであり、該ローラ式ストッパ機構８０は、底面に多数の段差８１を形成した箱体８２内に、該段差８１間に介在される停止状態と段差８１を乗り越えて次の段差８１に移動できるローラ機構８３を組み込んだもので、該ローラ機構８３と連繋される蝶番片８４を箱体８２に枢着したものである。そして、箱体８２をヘッド１または頂部ヘア処理部５または側部ヘア処理部６に接続し、蝶番片８４に頂部ヘア処理部５または側部ヘア処理部６またはヘッド１を接続するものである。ローラ機構８３は箱体８２の底面両側に形成された段差８１上に移動停止自在に配置した左右のローラ８３ａと、箱体８２の上部両側に張架されるガイドレール８２ａにガイドされるローラ８３ｂとからなり、各ローラ８３ａ、８３ｂはばね８５によりガイドレール８２ａと段差８１間に弾発圧着され、ローラ８３ａを各段差８１間で動き止め保持させるようになっている。また、ローラ８３ａの枢軸には、前記した蝶番片８４のブラケット８４ａと枢着されるリンク８７が連繋されている。このため、ローラ機構８３が移動することにより、蝶番片８４は箱体８２に対して所定角度の枢動動作を行い、頂部ヘア処理部３または側部ヘア処理部６の開度を調整するようになっている。８６は箱体８２の天板に形成された長孔であり、該長孔８６に沿ってローラ機構８３のガイドピン８８はスライドできるようになっている。また、該ガイドピン８８に前記ばね８５が巻装されている。
【００２８】
また、図１１〜１４に示される可動機構７は、ヘッド１に対して頂部ヘア処理部５や側部ヘア処理部６をロックピン付回動枠機構９０を介して枢着するものである。ロックピン付回動枠機構９０は上面の平板部をヘッド１側または頂部ヘア処理部５または側部ヘア処理部６の取付部とした略Ｕ字状の枠体９１と、該枠体９１が介入できるサイズで下面の平板部をヘッド１側または頂部ヘア処理部３または側部ヘア処理部４の取付部とした略Ｕ字状の枠体９２とを中心軸９２ａをもって枠体９１と枢着したもので、枠体９２と枠体９１との隙間には多数のロック孔が透設された枠体９１と一体の回転盤９３が設けられ、枠体９１は中心軸９２ａをもって枠体９２に回動自在に枢着されている。
【００２９】
また、回転盤９３には図１４に示されるように、後記するロックピンが嵌合されるロック孔が複数一定の角度で透設されている。ロック孔は１２時方向に配置されるロックピン９４ａが嵌合される９０°用および左回りに６０°用、３０°用の各ロック孔９５ａ、９５ｂ、９５ｃが透設されるとともに、７時方向に配置されるロックピン９４ｂが嵌合される９０°用および左回りに６０°用のロック孔９５ｄ、９５ｅが透設され、５時方向に配置されるロックピン９４ｃが６０°反時計回り方向に回動したとき嵌合される３０°用のロック孔９５ｆが透設されている。そして、ロックピン９４ｂ、９４ｃはロックピン９４ａから各１３５°離れた角度にあり、９０°用のロック孔９５ｄは９５ａの孔から図面上左側１３５°の位置にあり、６０°用のロック孔９５ｅは９５ａの孔から図面上左側１６５°の位置にある。また、ロック孔９４ｆはロック孔９５ａの位置から図面上右側７５°の位置にある。
【００３０】
さらに、左右のロックピン９４ｂ、９４ｃには必要時に回転盤９３のロック孔への嵌合を防ぐロック防止機構９６が設けられている。ロック防止機構９６は枠体９２の前板に取り付けられた台座９６ａ、９６ａとロックピン９４ｂ、９４ｃの周面に突設されたピン９６ｂ、９６ｂとからなり、ロックピン９４ｂ、９４ｃをばね９７の付勢力に抗して引上げ、ピン９６ｂ、９６ｂを台座９６ａに係止させることにより行われる。
【００３１】
このような、ロックピン付回動枠機構９０はロックピン９４ａがロック孔９５ａに嵌合し、ロックピン９４ｂがロック孔９５ｄに嵌合した状態で、頂部ヘア処理部５または側部ヘア処理部６を３０°に回転させたい場合、先ず、ロックピン９４ｂをロック孔９５ｄから引き抜いたうえ、ロック防止機構９６のピン９６ｂを台座９６ａに係止させてロック防止状態とするとともに、ロックピン９４ｃのピン９６ｂを台座９６ａに係止させてロックピン９４ｃをロック防止状態とする。続いて、ロックピン９４ａを引き抜いたうえ、枠体９１、すなわち回転盤９３を時計回り方向に３０°回動させてロックピン９４ａを離せば、ばね９７の付勢力をもってロック孔９５ｂにロックピン９４ａは嵌合される。続いて、ロック防止機構９６によるロックピン９４ｂのロックを解除して、ロックピン９４ｂをロック孔９５ｅに嵌合させてロック状態を行う。
【００３２】
また、頂部ヘア処理部５または側部ヘア処理部６をさらに３０°回転させたい場合、先ず、ロックピン９４ｂをロック孔９５ｅから引き抜いたうえ、ロック防止機構９６のピン９６ｂを台座９６ａに係止させてロック防止状態とする。続いて、ロックピン９４ａをロック孔９５ｂから引き抜いたうえ、枠体９１、すなわち回転盤９３を時計回り方向に３０°回動させてロックピン９４ａを離せば、ばね９７の付勢力をもってロック孔９５ｃにロックピン９４ａを嵌合させるとともに、ロック防止機構９６によりロック防止されていたピン９６ｂを台座９６ａより外せばばね９７の付勢力によりロックピン９４ｃはロック孔９５ｆに嵌合されてロック状態となる。また、逆回転させる場合は前記とは逆のことを行えばよい。このようにロックピンを複数用いることにより、頂部ヘア処理部５または側部ヘア処理部６が不用意に動くことを確実に防止できるので安全性は極めて高いものとなる。
【００３３】
次に、図１５に示されるものは、図４に示されたものと同様、可動機構７を摩擦抵抗式枢軸としたものであり、ヘッド１または頂部ヘア処理部５または側部ヘア処理部６を一方の蝶番片に固定するとともに、他方の蝶番片にヘッド１または頂部ヘア処理部５または側部ヘア処理部６を固定した蝶番７０とし、一方の蝶番片と蝶番７０の軸７１とを回り止め固定するとともに他方の蝶番片と軸７１をばね圧により締め付けて摩擦抵抗を付与させた締付部材７２を設けたものである。
【００３４】
さらに、図１６に示されるものも、摩擦抵抗式枢軸の可動機構７であり、ヘッド１または頂部ヘア処理部５または側部ヘア処理部６一方の蝶番片に固定するとともに、他方の蝶番片にヘッド１または頂部ヘア処理部５または側部ヘア処理部６を固定した蝶番７０とし、一方の蝶番片と蝶番７０の軸７１とを角軸部により回り止め固定するとともに、他方の蝶番片をプラスチック製の摩擦抵抗リング７３を介して軸７１に軸支したものである。
【００３５】
また、図７、８、９に示されるように、可動機構７をアーム１７にもたせたものは、頂部ヘア処理部５や側部ヘア処理部６をヘッド１に取り付けるアーム１７が、変形自在で変形位置に保持できるフレキシブルチューブとするものであり、頂部ヘア処理部５や側部ヘア処理部６を所定の位置に移動してフレキシブルチューブを変形させれば、フレキシブルチューブよりなるアーム１７は移動した位置に頂部ヘア処理部５や側部ヘア処理部６を位置決め保持することとなる。また、アーム１７は図８に示されるように、３本のフレキシブルチューブとしているが、側部ヘア処理部６のように水平に配置されて大きな力がかからないうえに側部ヘア処理部６が一つで軽い場合は、１本あるいは２本のフレキシブルチューブとしてもよい。
【００３６】
２０は可動機構７に組み込まれるストッパ機構で、このストッパ機構２０は枢軸式のものにおいては、図５に示されるような、アーム１６の基端に最大開度でヘッド１側のストッパ部２０ａに当接する当て面１６ａを設けるとともに、アーム１６の基方部内面に最小開度でヘッド１側のストッパ部２０ｂに当接する当て面１６ｂを形成し、前記ストッパ部２０ａ、２０ｂにより頂部ヘア処理部５あるいは側部ヘア処理部６の最大開度と最小開度を設定するものとするか、図６に示されるように、アーム１６の基端に一定角度の円弧状切欠１６ｃを形成し、該円弧状切欠１６ｃ内にヘッド１側に取り付けたストッパピン２０ｃを配置させたものである。そして、円弧状切欠１６ｃとストッパピン２０ｃにより頂部ヘア処理部５あるいは側部ヘア処理部６の最大開度と最小開度が設定されるものとしている。また、最小開度の設定は何らかのトラブルや人がぶつかって頂部ヘア処理部５または側部ヘア処理部６がその位置で保持できなくなったとき、被施術者の頭部に頂部ヘア処理部５が当たることを防止できるので極めて重要なものとなる。
【００３７】
また、可動機構７がアーム１７によるものである場合、そのストッパ機構２０は、図７、８、９に示されるように、アーム１７としてのフレキシブルチューブが前傾されたとき、フレキシブルチューブを当接させるストッパ板２０ｅを設けたものとしている。具体的には、フレキシブルチューブを直接ストッパ板２０ｅに当接させると、フレキシブルチューブを傷めることとなるので、アーム１７に取り付けられた当て板１７ａをストッパ板２０ｅに当接させるものとしている。
【００３８】
さらに、可動機構７をアーム１７によるものとして位置決めを確実にするため角度調整ストッパ機構１５０は、図１７、１８に示されるように、ヘッド１側とヘア処理側とを連結するフレキシブルチューブよりなるアーム１７と、ヘッド１側のステー１５１に取り付けられる位置決め用のプランジャ板１５２とヘア処理側のステー１５３に取り付けられるボールプランジャ１５４とからなり、ステー１５１とステー１５３とは枢着され、その枢着点を中心として描かれる軌跡上にボールプランジャ１５４のボールが嵌合される円錐状穴１５６が多数透設されている。そしてヘア処理側を可動すればボールプランジャ１５４のボール１５７は円錐状穴１５６に順次嵌合しつつ所定の位置まで移動されることとなる。所定の位置に達した時ヘア処理側の動きを止めれば、ボールプランジャ１５４のボール１５７は円錐状穴１５６に嵌合するので、節度をもってヘア処理側は停止固定されることとなる。
【００３９】
さらに、前記した加熱機１３は防護スクリーン２１を外した図２１、２３、２４、２６、２７に示されるように、断面略半円形の環状反射板１３ａと、該環状反射板１３ａの前方に配置される環状の遠赤外線ヒータ１３ｂとからなるものである。また、該加熱機１３はパーマネントやヘヤダイの際、薬液の反応促進を促したり、遠赤外線効果により頭皮やヘアの細胞の代謝機能を活性化したり、洗髪されたヘアの乾燥を行なうものである。１３ｃは遠赤外線ヒータ１３ｂを支持する碍子である。
【００４０】
また、図２０、２１、２３、２４、２６、２７に示される送風機１４はモータに駆動されるファン１４ａと送風をガイドする風ガイド筒１４ｃよりなるものであり、前記加熱機１３とは各別または同時に作動することができ、送風機１４のみを作動させてヘアの表面水分のみを乾燥させて艶出しを行なったり、加熱機１３と同時に作動させて急速乾燥を行なったりができるものである。１４ｂは背面に形成される送風空気吸引用のスリット状吸気口である。また前記風ガイド筒１４ｃは送風機１４の前面に配設されて送風を効率よく前方に送出するものである。
【００４１】
２２は後部ヘア処理部４と側部ヘア処理部６に設けられたヘア加湿処理用の噴霧ノズル１５と、加湿用気体噴霧部材１００の顔面加湿処理用の噴霧ノズルの双方の噴霧ノズルにおける各ノズル部２２ａに設けられる液垂れ防止装置である。この液垂れ防止装置２２は図２０、２１、２２、２５に示されるように、ノズル部２２ａの開口内周縁に環状の堰２２ｂを形成して結露水が垂れ落ちないようにするとともに、図２４に示されるように、ノズル部２２ａの周囲にヒータ２３を巻装して結露水を蒸発乾燥させるようにしたり、図２５に示されるように、ノズル部２２ａの外周にノズル開口より先端を張出させて嵌着した吸水体２４に結露水を吸収させるものである。
【００４２】
また、吸水体２４の表面は外筒２２ｃにより被套されるとともに、外筒２２ｃの先端に内鍔を形成して吸水体２４の先端外周縁を係止させることにより、吸水体２４の脱落を防止できるうえに、外筒２２ｃの内鍔に付着する結露水を吸水体２４が吸水して液垂れを確実に防止することができる。さらに、吸水体２４は外筒２２ｃと一体にノズル部２２ａから取り外すことができるので、吸水体２４の吸水が限界に達したら、吸水体２４と外筒２２ｃを外して使い捨て式の吸水体２４を交換するか、ウレタン樹脂よりなる吸水体２４を絞って水分を除去したうえ、再びノズル部２２ａに吸水体２４を装着して再使用してもよい。
【００４３】
なお、前記した外筒２２ｃに水分蒸発用の透孔２２ｄを形成すれば、該透孔２２ｄから水分を蒸発させることができるので、吸水量を増すことができ、長時間の連続使用が可能となり、外筒２２ｃの交換回数を低減でき、交換作業による稼動時間の低下を抑えてヘア処理効率を上げることができる。２５は図２０、２１、２２、２４、２５に示されるように、堰２２ｂの内周端縁に形成される鋭角部であり、該鋭角部２５はノズル部２２ａの先端に付着した結露水の成長を阻害するものである。
【００４４】
また、前記堰２２ｂやヒータ２３、吸水体２４等は使用状況に応じてこれらを単独または複数を適宜組み合わせれば液垂れをより確実に防止することができる。また、各噴霧ノズルのノズル部２２ａはトルマリン粉末を含有させたプラスチックにより成形されたものとすれば、ノズル部２２ａ内を通過するミストの殺菌、消臭、マイナスイオンの発生を促進することができるうえに、ノズル部２２ａの汚れを防ぐことができる。さらに、ノズル部２２ａは図２２に示されるように、水平位置から斜め上向きに揺動できるようにして、加湿気体の噴霧範囲を広げ効率よく髪に噴霧することができることとなる。しかも、ノズル部２２ａは図２０、２１、２２に示されるように、基部を円形とし先端開口を偏平長孔に絞ることにより、先端開口における加湿気体の圧力を高めて流速を速めるので、ノズル部２２ａの揺動にともなって広範囲、且つ遠くまでミストを確実に吹き付けることができることとなる。
【００４５】
前記したヘッド１に取り付けられる顔面加湿処理用の加湿用気体噴霧部材１００は、図１、２および図２８、図３２、図４０〜５０に示されるように、ヘッド１の両側または片側に設けた外部接続口４０に取り付けられる屈曲自在なホース１０１と、このホース１０１と並んでヘッド１に取り付けられるフレキシブルアーム１０２とからなるものであり、このフレキシブルアーム１０２は曲げた状態に形状を維持でき、ホース１０１と併設することによりホース１０１を任意位置に保持できることとなる。これは、ホース１０１とフレキシブルアーム１０２とを接続具１０３により連繋することにより両者は一体化されてフレキシブルアーム１０２の形状にホースは保持されるものである。屈曲自在なホース１０１の先端に取り付けられる噴霧ノズルのノズル部２２ａは図２９に示されるように、口縁内面に凝縮水が外部に垂れ落ちることを防止する垂れ止め部１０４ｂを形成した噴霧口１０４ａの下方に凝縮水貯留部１０４ｃを設けるとともに、背面にホースの接続部１０４ｄを設けたものである。しかも、このノズル部２２ａはトルマリン粉末を含有させたプラスチックよりなるので、ノズル部２２ａを通過するミストは消臭、殺菌、マイナスイオン化されることとなる。
【００４６】
また、図３０、３１に示される顔面加湿処理用の加湿用気体噴霧部材１００は、ヘッド１の背部に左右に枢動できるよう枢着したジョイント１０６にプラスチック製の長尺のアームパイプ１０７を取り付け、その先端に回動自在な噴霧ノズル２２ａを取り付けるとともに、アームパイプ１０７の略中間部を屈曲自在としたものである。
【００４７】
さらに、前記した蒸気発生機構２とミスト発生機構３は噴霧ノズル１５および加湿用気体噴霧部材１００に蒸気とミストとの混合気体を供給するものであって、蒸気発生機構２は図１９、５１に示されるように蒸気窯３０と、該蒸気窯３０内に配置されるシーズヒータ３０ａとよりなる。前記したミスト発生機構３は水タンク３１と、該水タンク３１の底部に配置させた超音波振動子３１ａと、水タンク３１内の水が既定値以下となったときに報知を行なうフロートスイッチ３１ｂと、水タンク３１に水を供給するための着脱自在な給水タンク３１ｃと、超音波振動子３１ａにより発生したミストを送出させる送風ファン３１ｄとからなるものである。そして、蒸気発生機構２の蒸気窯３０またはミスト発生機構３の水タンク３１あるいは双方に必要に応じて図示しないトルマリンまたは浄水用のセラミックが装填されるものとしている。
【００４８】
３２は給水タンク３１ｃの給水ノズルであり、該給水ノズル３２は先端が閉塞され、給水水位レベル位置の側壁に通水孔を透設することにより、常に、水位を一定に維持できるものとしている。また、３３は先端を水中に位置させた水タンク３１の隔壁であり、該隔壁３３は給水タンク３１ｃが設けられた給水タンク部と超音波振動子３１ａを設けたミスト発生部とを区画し、ミスト発生部で発生されたミストが給水タンク部に流入しないようにするためのものである。３４は先端を水面から若干離した位置に配置させた区画板であり、該区画板３４はミスト発生部をミスト生成部と送風部とに区画し、ミストが送風空気により確実に送出されるようにするものである。
【００４９】
３５はミストと蒸気を混合する混合器であり、該混合器３５は図１９に示されるように、その側壁にミスト発生機構３のミスト供給管３５ａと、蒸気発生機構２の蒸気供給管３５ｂとが接続されている。蒸気供給管３５ｂはミスト供給管３５ａより上方に接続されるとともに、その先端をミスト供給管３５ａより混合器３５内に深く突出させたものとし、蒸気がミスト供給管３５ａ内に逆流することがないようにしている。また、混合器３５は図１９に示されるように、その底部にミスト発生機構３のミスト供給管３５ａと、蒸気発生機構２の蒸気供給管３５ｂとがその開口端を底部より突出させて接続している。蒸気供給管３５ｂはミスト供給管３５ａより前方に接続したものとし、蒸気がミスト供給管３５ａ内に逆流することがないようにしている。さらに、図５１における混合器３５は、開口５０ａが形成される水平な隔壁５０ｂにより約半分に仕切り、上部に噴霧ノズル１５および加湿用気体噴霧部材１００にミストと蒸気との混合気体を分配する分配部５０を一体的に設けるとともに、結露タンクの機能をもたせたものとしている。このような構造とすることにより、図１９に示されるような結露タンクが不要になり、装置を極めてコンパクト且つ、安価なものとすることができる。
【００５０】
また、混合器３５にはイオンまたはオゾン発生装置４２とトルマリン１８０が装填されているが、これはミストの消臭、殺菌、マイナスイオン化をより効率よく行うためであり、使用状況に応じていずれか一方でもよいことは勿論である。なお、前記したトルマリンの代わりに、水道水の残留塩素を除き、マイナスイオンによる活水効果や雑菌抑制効果、遠赤外線波動効果のある浄水用のセラミックを用いてもよい。また、分配部５０にはサーミスタ４３が設けられている。混合器３５のトルマリン１８０やイオンまたはオゾン発生装置４２は蒸気やミストに含まれる薬剤臭をトルマリンあるいはイオンやオゾンにより分解して殺菌や脱臭を行なうものである。分配部５０に設けられるサーミスタ４３はミストの温度に基づいて蒸気とミストの混合率、すなわち、蒸気発生量を調整して蒸気の供給量を変え、ミストの温度を設定するためのものである。４６は混合器３５の底部に設けられる結露水排出用のドレン管であり、該ドレン管４６は蒸気発生機構２とミスト発生機構３と接続されている。４７は集合ドレン管であり、該集合ドレン管４７には開閉弁４７ａが取り付けられている。
【００５１】
３６は図１９、５１に示されるように、混合器３５からの混合気体を分岐させる分岐部であり、該分岐部３６には送出管３６ａ、３６ｂの開口を開閉する開閉弁３７ａ、３７ｂが設けられているが、開閉弁を用いずＴ字継手により分岐するものとしてもよし、図５１に示されるように、分配部５０に開閉弁３７ａを介して送出管３６ｂを設けてもよい。分岐部３６に設けられた開閉弁３７ａ、３７ｂは混合気体を各噴霧ノズル１５と加湿用気体噴霧部材１００との双方に供給すると、混合気体の供給不足が生じることがあるため、分岐部３６を交互にオンオフして切り換えることができるようにしているが、供給が十分であれば開閉弁３７ａ、３７ｂの双方を開放してもよい。
【００５２】
３８は分岐された一方の送出管３６ａの終端に接続される結露タンクである。３９は分岐された他方の送出管３６ｂの終端に接続される結露タンクである。そして、該結露タンク３８には複数の接続口が形成され、該接続口は図１９に示されるように、接続管を介して後部ヘア処理部４あるいは側部ヘア処理部６の噴霧ノズル１５に接続される。また、該結露タンク３９には複数の接続口が形成され、該接続口は図１９に示されるように、接続管を介して加湿用気体噴霧部材接続用の外部接続口４０に接続される。また、前記混合器３５に接続される排出管４１には、イオンまたはオゾン発生装置４２およびトルマリン粉末を含有させたプラスチックパイプ１１０とサーミスタ４３が設けられている。イオンまたはオゾン発生装置４２は排出管４１を通過する温かい混合気体中に含まれる薬剤臭をイオンやオゾンにより分解し、脱臭を行なうとともに、トルマリン粉末を含有させたプラスチックパイプ１１０によりマイナスイオン化をより高めたり、消臭、殺菌効果を高めるものとしている。また、サーミスタ４３は混合気体の温度に基づいて蒸気とミストの混合率、すなわち、蒸気発生量を調整して蒸気の供給量を変え、混合気体の温度を設定するためのものである。
【００５３】
４４は図１９に示される結露タンク３９の底部に取り付けられる結露水排水用のドレン管であり、該ドレン管４４には開閉弁４４ａが設けられている。そして、結露タンク３９に設けられたフロートスイッチ４５が満水を検知すると開閉弁４４ａを開放して結露水を排出するものである。４６は結露タンク３８の底部に取り付けられる結露水排水用のドレン管であり、該ドレン管４６は前記した蒸気発生機構２とミスト発生機構３と混合器３５と接続されている。４７は集合ドレン管であり、該集合ドレン管４７には開閉弁４７ａが取り付けられている。４８は加湿用気体噴霧部材１００に取り付けられるヘアキャップであり、４９はアーム１６を被覆する蛇腹式のブーツである。
【００５４】
このように構成されたものは、先ず、使用環境や設置条件に合わせてヘッド取付用ワゴンあるいはヘッド取付用キャスタ付きスタンドにヘッド１を取り付けたものか、高さ調整自在なヘッド取付用ワゴンあるいは高さ調整自在なヘッド取付用キャスタ付きスタンドにヘッド１を取り付けたものか、建物に固定したヘッド取付アーム１１にヘッド１を取り付けたもの、あるいは両者を適宜組み合わせたものを美容室や理容室に配備する。そして、使用にあたっては、施術者は先ずヘッド１の各処理部に囲まれる空間部分の位置を被施術者の頭部位置に合わせる。この位置合わせは、ヘッド１が上下位置調整機構９と左右位置調整機構１０とを有するヘッド取付アーム１１に取り付けられているときは、図４２〜４７または図４８〜５０に示されるように、壁や天井あるいは天井と床間に立設された固定スタンド１２に固定されるブラケット１１ａに軸支されるアーム１１ｂを水平回動させるとともに、アーム１１ｂに軸支される伸縮アーム１１ｃを上下枢動させて行なう。
【００５５】
そして、図１、２、３、３０、３１、３２、４１に示されるように、ヘッド１が上下位置調整機構９と左右位置調整機構１０とを有する高さ調整自在なヘッド取付用ワゴンあるいはヘッド取付用キャスタ付きスタンドに取り付けられているときは、ヘッド取付用ワゴンあるいはヘッド取付用キャスタ付きスタンドを床上で水平移動させてヘッド１の左右位置の調整を行なうとともに、ヘッド取付用ワゴンあるいはヘッド取付用キャスタ付きスタンドの高さをモータ駆動により調整したり、手動で調整して固定ノブ１ｂにより締め付け固定してヘッド１の上下位置を調整する。また、図３５に示されるような高さ調整できないヘッド取付用ワゴンにヘッド１が取り付けられているとき、ヘッド取付用ワゴンやヘッド取付用キャスタ付きスタンドには左右位置調整機構１０しかないので、左右方向の位置合わせをヘッド取付用ワゴンにより行ない、被施術者の頭部の上下方向への位置合わせは、上下位置調整機構９を有する高さ調整自在な被施術者用椅子で行なうものとする。また、図１、２、３０、３１、３２に示されるヘッド取付用キャスタ付きスタンドには足押し部１２０が設けられているので、移動するとき、手掛けハンドル１２１でヘッド１を押しつつ、足押し部１２０を足で押せば装置は転倒したり、傾くことなく滑らかに移動させることができるものとなる。
【００５６】
次いで、図１、２、３０、３１、３２、３３、３４に示されるヘッド取付用キャスタ付きスタンドに設けられた動き止めストッパ機構１３０の足踏みペダル１３６を体重を掛けて踏み込めば、基端を支柱１３１に枢着させたリンク杆１３７の中間部にはスライド筒体１３４ｂに嵌挿されるピン１３６が嵌挿されているから、スライド筒体１３４ｂはピン１３６によりばね１４０の付勢力に抗して下降することとなる。そして滑り止め突起１４８が床面に圧接されると、ストッパ杆１３９のストッパカム部１３９ａはカム板１３４ｃ底面のストッパ時当て面に入り込んで当接する。この状態で足踏むペダル１３６ａへの踏み込みをやめれば、スライド筒体１３４ｂに装置の自重がかかり、ストッパ杆１３９のストッパカム部１３９ａはカム板１３４ｃ底面のストッパ時当て面に圧接されるとともに滑り止め突起１４８が床面に圧接されて装置は動き止めされることとなる。
【００５７】
このようにして、被施術者の頭部とヘッド１との位置合わせが行われた後、図４や図１５、１６に示されるような摩擦抵抗式枢軸よりなる可動機構７や図７、８、９に示されるような、変形自在で位置保持ができるアーム１７よりなる可動機構７あるいは、図１０に示されるローラ式ストッパ機構８０よりなる可動機構７、または、図１１、１２、１３、１４に示されるようなロックピン式ストッパ機構９０あるいは図１７、１８に示されるような角度調整ストッパ機構１５０を組み込んだ可動機構７を介して頂部ヘア処理部５や側部ヘア処理部６の開度を調整しヘアの処理部位やヘア処理の強さに応じて頭部との位置を位置決め保持を行なう。摩擦抵抗式枢軸による可動機構７は皿ばね１８ｃにより枢動抵抗を与え任意の位置で頂部ヘア処理部５や側部ヘア処理部６の位置決め保持を行い。アーム１７による可動機構７ではフレキシブルチューブの変形により頂部ヘア処理部５や側部ヘア処理部６の位置決め保持をする。
【００５８】
また、ローラ式ストッパ機構８０よりなる可動機構７ではばね８５により各段差８１間にローラ８３ａを維持させて頂部ヘア処理部５や側部ヘア処理部６の位置決め保持をする。さらに、ロックピン式ストッパ機構９０による可動機構７ではロックピンを所定角度で配設されたロック孔に嵌挿することにより頂部ヘア処理部５や側部ヘア処理部６の位置決め保持を行うものである。そして、頭部全体の乾燥を行なう際、ヘッド１と後部ヘア処理部４の高さおよび頂部ヘア処理部５を図１、２、３０、３１、３２、４０、４１、４５、４８の状態とするとともに、側部ヘア処理部６の位置を図３に示される若干閉じ気味の一点鎖線の状態に位置させる。このときエアコンディショナーの冷風や温風等の送風が被施術者の髪に吹き付けられるなどして施術に悪影響が生じると思われる場合には、図１、２に示されるように後部ヘア処理部４、頂部ヘア処理部５、側部ヘア処理部６に囲まれる空間部分にファスナー１６１を介して難燃性材で伸縮自在な遮蔽部材１６０を取り付ける。このとき必要に応じて遮蔽部材１６０は透孔１６２を設けたり、通気性素材よりなるものとして通気性を持たせ送風やミスト噴霧により膨らむことを防止して被施術者に不快感を与えたり施術を邪魔することがないようにしたり、感温性よりなるものを用いて、被施術時、空間内温度が色表示されるものとしたり、遠赤外線反射性よりなるものを用いて、遠赤外線による加熱効果をより高めたものとしたり、適宜変更することができる。
【００５９】
次に、測距機構１７０により後部ヘア処理部４、頂部ヘア処理部５、側部ヘア処理部６と被施術者の髪までの距離を測定する。この距離に応じて後部ヘア処理部４、頂部ヘア処理部５、側部ヘア処理部６の加熱機１３の出力調整を行なう。次いで、後部ヘア処理部４と頂部ヘア処理部５および側部ヘア処理部６の加熱機１３と送風機１４を作動させ、遠赤外線ヒータ１３ａによる加熱と、送風機１４のファン１４ａによる送風を行なう。これにより髪全体が遠赤外線により加熱され、加熱された髪全体に風が吹き付けられることにより、極めて効率よく髪の乾燥を行なうことができる。しかも、遠赤外線ヒータ１３ａによる遠赤外線効果により、頭皮や髪の代謝を活発化して傷んだ髪や頭皮を整えることができる。
【００６０】
また、薬液を用いたパーマネントあるいはブローセットの際には、測距機構１７０により被施術者の髪までの距離を測定した上、距離に応じて後部ヘア処理部４、側部ヘア処理部６のミストの噴霧量を調整する。その後、後部ヘア処理部４や側部ヘア処理部６の噴霧ノズル１５により、被施術者の頭部にミスト化された温かい加湿気体をヘアに向け噴霧すれば、加湿気体は髪内に浸透して還元アルカリにより失われる水分を補うとともに、加熱機１３とともに髪を加温して薬液の活性化を促進することとなる。また、ブローセットの場合は、ブローセットを行なう前に、後部ヘア処理部４と側部ヘア処理部６の噴霧ノズル１５よりミスト化された温かい加湿気体を噴霧させて水分を髪内に浸透させて、ブローの高温から髪を守り、乾燥し過ぎを防止する。
【００６１】
また、被施術者が肩より長い髪である場合は、ヘッド１の下降や被施術者用椅子の上昇によっても被施術者の頭部が頂部ヘア処理部５に当たることがないように頂部ヘア処理部５を最大開度まで起立させる。次いで、側部ヘア処理部６を図３に示される若干閉じ気味とした一点鎖線の状態に位置させる。これにより、被施術者の肩まである髪にミスト化された温かい加湿気体が噴霧されうる状態に後部ヘア処理部４と側部ヘア処理部６とが配置されることとなる。この状態で後部ヘア処理部４と側部ヘア処理部６の噴霧ノズル１５を作動させ、後部と側部の髪に温かい加湿気体を噴霧して髪内に浸透させて還元アルカリにより失われる水分を補うとともに、薬液の活性化を促進することとなる。また、ブローセットの場合は、ブローセットを行なう前に、後部ヘア処理部４と側部ヘア処理部６の噴霧ノズル１５より加湿気体を噴霧させて水分を髪内に浸透させ、ブローの高温から髪を守り、乾燥し過ぎを防止する。
【００６２】
前記した噴霧ノズル１５からの加湿気体は図１９、５１に示される、蒸気発生機構２により発生された蒸気とミスト発生機構３により発生されたミストを混合器３５により混合した温かいミストとして噴霧される。しかも、このミストは通過路にもうけたトルマリンにより消臭や殺菌、マイナスイオン化が行われるので、薬臭がないうえに、髪や頭皮、顔の肌を傷めることがなく美容に大きな効果があることとなる。さらに、噴霧ノズル１５は図２０〜２４に示されるように、加熱機１３と送風機１４の中心前方にノズル部２２ａが配置されるので、加熱機１３と送風機１４がミスト流に干渉することはない。また、送風機１４による送風と加湿気体噴霧とを同時に行なえば、加湿気体はより強く噴霧されて髪の奥の隅々にまで進入して頭皮に近い位置にある髪にも短時間に水分を浸透させることができる。
【００６３】
また、必要に応じて、噴霧ノズル１５と加熱機１３とを併用することにより、後部ヘア処理部４、側部ヘア処理部６により種々の髪処理を行なうことができることとなる。また、噴霧ノズル１５により噴霧する際、噴霧ノズル２２ａ内に付着する結露水は、噴霧ノズル２２ａの先端内周面に形成した環状の堰２２ｂや、噴霧ノズル２２ａの周囲に巻装したヒータ２３や、噴霧ノズル２２ａの外周にノズル開口より先端を張出させ吸水体２４、あるいはこれらを適宜組み合せた液垂れ防止機構２２により、結露水の垂れは確実に防止されるので、被施術者に結露水が垂れることがないので、ヘア処理時、染めむらや色むらが生じることがないうえに、被施術者に不快感を与えることがない。
【００６４】
また、図４４、４７、５０に示されるように、頂部ヘア処理部５を最小開度まで閉じた状態とすればヘッド１の上方はコンパクトに折り畳まれるので、不使用時にはヘッド１を天井付近に配置させることができるので、ヘッド１により施術者の邪魔をすることがない。また、頂部ヘア処理部５を最小開度まで閉じたとき、図５に示されるストッパ機構２０では、アーム１６の基端に設けられた当て面１６ｂがヘッド１側のストッパ部２０ｂに当接して頂部ヘア処理部５を確実に停止させることができる。また、図６に示されるストッパ機構２０では、円弧状切欠１６ｃの一端にヘッド１側のストッパピン２０ｃが当接することにより、確実な停止が得られることとなる。また、ストッパ機構２０は頂部ヘア処理部５または側部ヘア処理部６をある角度に保持させているとき人がぶつかったり、何らかのトラブルでアーム１６が枢動して頂部ヘア処理部５が被施術者の頭部に当たることを的確に防止するものである。
【００６５】
また、加湿気体の生成時には、図１９、５１に示される蒸気発生機構２の蒸気窯３０内の水をシーズヒータ３０ａにより加熱して蒸気を発生させるとともに、ミスト発生機構３の水タンク３１の底部に設けた超音波振動子３１ａによりミストを発生させ、この蒸気発生機構２による蒸気と、超音波振動子３１ａにより発生されたミストとを混合器３５に送出されることとなるが、このとき、蒸気窯３０と水タンク３１にトルマリンが装填されていれば、水の消臭、殺菌、マイナスイオン化が行われ、浄水用のセラミックが装填されていれば水道水の残留塩素を除きマイナスイオンによる活水効果や雑菌抑制効果、遠赤外線波動効果が期待できる。
【００６６】
次いで、蒸気とミストは混合器３５内で混合されて温かいミスト化された加湿気体となり、図１９においては排出管４１に送り出され、図５１においては、分配器５０を介して噴霧ノズル１５に送出されることとなるが、このミスト化された加湿気体はイオンまたはオゾン発生装置４２によりイオンまたはオゾンが混入されて脱臭されたり、ミスト排出管４１のトルマリン粉末が含有されるプラスチックパイプ１１０や混合器３５内のトルマリン１８０によりミストは消臭されたり殺菌されたりマイナスイオン化される。さらに、サーミスタ４３により設定された温度とされる。
【００６７】
図１９においては、蒸気発生機構２とミスト発生機構３とよりなる加湿用気体発生機構で生成された加湿気体は、分岐部３６を介して顔面加湿処理用の噴霧ノズルを先端に備えた加湿用気体噴霧部材１００に向かうものと、各噴霧ノズル１５に向かうものとに分けられる。そして、図１９においては、噴霧ノズル１５に向かう加湿気体は結露タンク３８に供給された後その接続口より各噴霧ノズル１５に分配されて先端のノズル部２２ａより噴霧されることとなり、また、結露タンク３９の接続口を介して加湿用気体噴霧部材１００に向かった加湿気体はその先端の噴霧ノズル２２ａより噴霧され、シェービング前に髭や肌を柔らかくしたり、フェイシャルエステ等の顔面美容を行なうものであるが前記した各噴霧ノズルのノズル部部２２ａをトルマリン粉末が含有されたものとしてあればトルマリンによりミストは消臭されたり殺菌されたり、マイナスイオン化されることとなる。さらに、図２８に示される加湿用気体噴霧部材１００にはヘアキャップ４８が取り付けられ、ミストは左右の被施術者のヘアキャップ４８に供給されることとなる。そして、ヘアキャップ４８に供給されたミストにより、パーマネントやカラーリング、トリートメント時、効率よく薬液の浸透を促進したり、髪に水分を浸透させることができることとなる。
【００６８】
また、ヘッド１を移動させたい場合は、図１、２、３０、３１、３２、３３、３４に示されるヘッド取付用キャスタ付きスタンドに設けられた解放リンク１３８の足踏みペダル１３８ａを踏み込めば、基端をピン１３６に枢着させた解放リンク１３８のストッパ解除レバー１４４はストッパ杆１３９の前端片に当接してストッパ杆１３９を時計回り方向に枢動させる。ストッパ杆１３９が時計回り方向へ枢動されることにより、ストッパカム部１３９ａの上面はカム板１３４ｃ底面のストッパ時当て面から外され、ストッパカム部１３９ａの側面がカム板１３４ｃ隅角部に当接するとともにばね１４５により隅角部に圧接された旧状に復帰されることとなる。これによりスライド筒体１３４ｂも上昇し旧状に復帰し、滑り止め突起１４８は床面から離れた状態となり、装置は自由に動かせる状態になるので所定の場所に移動させることができることとなる。
【００６９】
なお、前記好ましい実施の形態では、ノズル部２２ａより噴霧される加湿気体は温かいミストとしているが、使用目的によっては蒸気を混合しない単なるミストのみとしてもよいことは勿論である。
【００７０】
【発明の効果】
本発明は前記説明により明らかなように、ヘッドが前面に後部ヘア処理部、上部に頂部ヘア処理部、両側部に側部ヘア処理部が設けられていて、各処理部に送風機と加熱機を設けるとともに各処理部に囲まれる空間部分を被施術者の頭部位置に対応して調整できる開放型としたので、加熱温度やミスト量が正確になり施術が確実に行なえるうえに、加熱中やミスト噴霧中にも施術が行なえることとなる。しかもボンネット式のようにヘア処理用の薬液臭が染み付いて被施術者に不快感を与えるという問題もない。また、ヘッドを加湿用気体発生機構が内蔵されたものとし、且つ、このヘッドに設けた各処理部のうち少なくとも後部ヘア処理部と側部ヘア処理部はヘア加湿処理用の噴霧ノズルを備えたものとするともに、先端が顔面加湿処理用の噴霧ノズルとされた加湿用気体噴霧部材をヘッドの所要位置に設けてこれらの噴霧ノズルを前記した加湿用気体発生機構に接続させてあるので、髪の加湿は勿論のこと、顔面に加湿気体を噴霧するシュエービングの前処理やフェイシャル施術を行なうこともできる利点がある。また加湿気体をヘッドに内蔵させた蒸気発生機構とミスト発生機構とよりなる加湿用気体発生機構で生成した蒸気とミストとを混合器で混合して噴霧ノズルに供給するようにしたので、装置全体を小型化して全体の安定性を増すことができるうえに、軽量化できて安定性や操作性がよい。
【００７１】
各処理部の加熱機が遠赤外線によるものとすることにより、頭皮や髪の代謝を活発化して傷んだ髪や頭皮を整えることができる。
【００７２】
後部ヘア処理部と頂部ヘア処理部と側部ヘア処理部の送風機がファンと送風を送風口までガイドする風ガイド筒とからなるものとしているので、効率のよい送風が行なえることとなる。
【００７３】
さらに、後部ヘア処理部と頂部ヘア処理部と側部ヘア処理部のうち少なくとも頂部ヘア処理部と側部ヘア処理部がヘッドに可動機構を介して取り付けられているので、これら処理部を頭部に対し接離することが可能であり、このために部分的に加熱強さや送風強さミスト噴霧強さを変えることもできてヘア処理の自由度が高くなるうえに、作業空間にゆとりができてヘア処理とフェイシャル施術を同時に行なううえに便利であり、各種美理容処理の自由度が大幅に増すうえに、施術時間を短縮することができる。また、駆動機構が小型化できるので、構造が簡単で故障が少なくて長期間耐用でき、さらには、１台の装置でヘア処理のみならず美容処理も行うことができるばかりか、加湿用気体噴霧部材をヘッドに続かせた屈曲可能な長尺の加湿用気体供給管材の先端に顔面加湿処理用の噴霧ノズルを設けたものとすることにより、隣接する美理容装置は加湿機構の必要もなくなるので、作業空間を有効利用できるうえに設備投資が削減できる。
【００７４】
さらにまた、ヘッド取付用ワゴンまたはヘッド取付用キャスタ付きスタンドに足押し部を設けることにより、装置を傾いたり転倒させたりすることなく滑らかに移動させることができる。
【００７５】
また、ヘッド取付用ワゴンまたはヘッド取付用キャスタ付きスタンドに動き止めストッパ機構を設けることにより、装置を施術場所に確実に動き止めできるので、施術中に装置が動くことがなく施術を邪魔することがない。特に装置の左右に設けられた加湿用気体噴霧部材を用いて左右にいる被施術者に対して施術を行なう際にはお互いの施術を邪魔することがなく極めて有効である。
【００７６】
噴霧ノズルのノズル部を基部が円形で先端を偏平長孔とすることにより、ミストを広範囲且つ遠くまで噴霧することができ、特に、噴霧ノズルのノズル部の先端内周面に環状の堰を設けるか、外周にヒータを巻装するか、ノズル部の外周に噴霧口より先端を張出させて吸水体を嵌着するか、これらを適宜組み合せた液垂れ防止機構を設けることにより、施術中に結露水がヘアに滴下されてヘアカラーやヘアマニキュア時に色落ちや色むらをなくし、ヘアダイ時に染めむらを生じさせることがないうえに結露水が顔や頭部に滴下されて被施術者に不快感を与えることがない。また、加湿用気体発生機構や加湿用気体噴霧部材或いは噴霧ノズルその他気体通過路に塊状あるいは粒状のトルマリンを装填したり、前記した部分をトルマリン粉末が混在させたプラスチックなどの成形材料で成形されたものとしたりすることにより加湿気体がトルマリンに触れるようにしておけば、簡単な装置で加湿気体の消臭、殺菌、マイナスイオン化ができるが、このトルマリンに代えて或いはこのトルマリンと併用して浄水用のセラミックを装填してもよく、この場合には水道水の残留塩素を除き、マイナスイオンによる活水効果や雑菌抑制効果、遠赤外線波動効果が期待できる。
【００７７】
後部ヘア処理部と頂部ヘア処理部と側部ヘア処理部に囲まれる空間部分を遮蔽材部により覆うことにより温度斑やミスト斑がなくなりヘアカラーやヘアマニキュア、ヘアダイ、パーマネント、トリートメント等を的確に仕上げることができる。
【００７８】
遮蔽部材を交換自在とすることにより、各種の遮蔽部材を状況や環境に応じて使い分けて最も効果的な施術を行なうことが可能となる。
【００７９】
遮蔽部材が難燃性よりなるものとすることより、過熱による事故を防止できる。
【００８０】
遮蔽部材が処理部の動きに対応するよう伸縮自在とすることにより、処理部が可動したり、スイングしたり、回転したりするものであっても支障なく使用することができる。
【００８１】
遮蔽部材に通気性を持たせることにより送風やミストの一部は外部に排気されるので内部に送風やミストが充満することがなく被施術者に不快感を与えたり施術に悪影響を与えることがない。また遮蔽部材を遠赤外線反射性のものとすることにより、髪をより効率的に加熱できることとなる。また遮蔽部材を感温性よりなるものとすることにより施術空間内部の温度を色で目視確認することができるので、ベテランでなくとも適正な温度で施術を行なうことが可能となる。
【００８２】
後部ヘア処理部と頂部ヘア処理部と側部ヘア処理部に被施術者の髪までの距離を測る測距機構を取り付ることにより、被施術者の髪と後部ヘア処理部と頂部ヘア処理部と側部ヘア処理部との距離を正確に知ることができるので、距離に応じた適正な加熱量やミスト量に調整することができるのでミスのヘア処理を行なうことができる。
従って、本発明は従来の問題点を解消した理美容装置として業界の発展に寄与するところ極めて大なものである。
【図面の簡単な説明】
【図１】本発明の好ましい実施の形態を示す正面図である。
【図２】本発明の好ましい実施の形態を示す側面図である。
【図３】本発明の好ましい実施の形態における側部ヘア処理部の可動状態を示す平面図である。
【図４】本発明の好ましい実施の形態に用いられる摩擦抵抗式枢軸による可動機構の１例を示す一部切欠正面図である。
【図５】本発明の好ましい実施の形態に用いられる可動機構のストッパ機構を示す一部切欠側面図である。
【図６】本発明の好ましい実施の形態に用いられる可動機構の他のストッパ機構を示す側面図である。
【図７】本発明の好ましい実施の形態に用いられる可動機構の他の例を示す一部切欠側面図である。
【図８】本発明の好ましい実施の形態に用いられる図７に示される可動動機構の一部切欠正面図である。
【図９】本発明の好ましい実施の形態に用いられる図７に示される可動機構の可動状態を示す一部切欠側面図である。
【図１０】本発明の好ましい実施の形態に用いられるローラ式ストッパ機構による可動機構を示す一部切欠側面図である。
【図１１】本発明の好ましい実施の形態に用いられるロックピン式ストッパ機構による可動機構を示す側面図である。
【図１２】本発明の好ましい実施の形態に用いられるロックピン付回動枠機構による可動機構を示す一部切欠正面図である。
【図１３】本発明の好ましい実施の形態に用いられるロックピン付回動枠機構による可動機構を示す一部切欠平面図である。
【図１４】本発明の好ましい実施の形態に用いられるロックピン付回動枠機構の回転盤を示す正面図である。
【図１５】本発明の好ましい実施の形態に用いられる摩擦抵抗式枢軸による可動機構の他の例を示す斜視図である。
【図１６】本発明の好ましい実施の形態に用いられる摩擦抵抗式枢軸による可動機構のさらに別の例を示す一部切欠斜視図である。
【図１７】本発明の好ましい実施の形態に用いられる角度調整ストッパ機構を組み込んだ可動機構を示す一部切欠正面図である。
【図１８】本発明の好ましい実施の形態に用いられる角度調整ストッパ機構を組み込んだ可動機構を示す一部切欠側面図である。
【図１９】本発明の好ましい実施の形態の内部構造を示す概略説明図である。
【図２０】本発明の好ましい実施の形態に用いられる後部または側部ヘア処理部の一部切欠側面図である。
【図２１】本発明の好ましい実施の形態に用いられる後部または側部ヘア処理部の一部切欠平面図である。
【図２２】本発明の好ましい実施の形態の噴霧ノズルに設けられるノズル部を示す一部切欠斜視図である。
【図２３】本発明の好ましい実施の形態に用いられるヒータ式の液垂れ防止機構を組み込んだ後部または側部ヘア処理部の一部切欠側面図である。
【図２４】本発明の好ましい実施の形態に用いられるヒータ式の液垂れ防止機構を組み込んだ後部または側部ヘア処理部の断面図である。
【図２５】本発明の好ましい実施の形態に用いられるヒータ式の液垂れ防止機構を示す拡大断面図である。
【図２６】本発明の好ましい実施の形態に用いられる頂部ヘア処理部の底面図である。
【図２７】本発明の好ましい実施の形態に用いられる頂部ヘア処理部の断面図である。
【図２８】本発明の好ましい実施の形態に用いられる加湿用気体噴霧部材によるヘア処理状態を示す正面図である。
【図２９】本発明の好ましい実施の形態に用いられる加湿用気体噴霧部材のノズル部を示す一部切欠斜視図である。
【図３０】他の加湿用気体噴霧部材を取り付けた本発明の好ましい実施の形態を示す側面図である。
【図３１】図３０に示される加湿用気体噴霧部材を取り付けた本発明の好ましい実施の形態に示す背面図である。
【図３２】本発明の好ましい実施の形態の移動状態を示す斜視図である。
【図３３】本発明の好ましい実施の形態に用いられる動き止めストッパ機構を示す側面図である。
【図３４】本発明の好ましい実施の形態に用いられる動き止めストッパ機構を作動させた状態を示す側面図である。
【図３５】本発明の好ましい実施の形態に測距機構を取り付けた状態を示す正面図である。
【図３６】本発明の好ましい実施の形態に取り付けた測距機構で距離を測っている状態を示す側面図である。
【図３７】本発明の好ましい実施の形態に取り付けられる測距機構を示す斜視図である。
【図３８】本発明の好ましい実施の形態に用いられる左側の遮蔽部材を示す平面図である。
【図３９】本発明の好ましい実施の形態に用いられる右側の遮蔽部材を示す平面図である。
【図４０】本発明の好ましい実施の形態のヘッドをヘッド取付ワゴンに組み込んだ例を示す正面図である。
【図４１】本発明の好ましい実施の形態のヘッドを高さ調整自在なヘッド取付用ワゴンに組み込んだ例を示す正面図である。
【図４２】本発明の好ましい実施の形態のヘッドを壁に取り付けたヘッド取付アームに組み込んだ例を示す側面図である。
【図４３】本発明の好ましい実施の形態のヘッドを壁に取り付けたヘッド取付アームに組み込んだ例の可動状態を示す側面図である。
【図４４】本発明の好ましい実施の形態のヘッドを壁に取り付けたヘッド取付アームに組み込んだ例の収納状態を示す側面図である。
【図４５】本発明の好ましい実施の形態のヘッドを天井に取り付けたヘッド取付アームに組み込んだ例を示す側面図である。
【図４６】本発明の好ましい実施の形態のヘッドを天井に取り付けたヘッド取付アームに組み込んだ例の可動状態を示す側面図である。
【図４７】本発明の好ましい実施の形態のヘッドを天井に取り付けたヘッド取付アームに組み込んだ例の収納状態を示す側面図である。
【図４８】本発明の好ましい実施の形態のヘッドをスタンドに取り付けたヘッド取付アームに組み込んだ例を示す側面図である。
【図４９】本発明の好ましい実施の形態のヘッドをスタンドに取り付けたヘッド取付アームに組み込んだ例の可動状態を示す側面図である。
【図５０】本発明の好ましい実施の形態のヘッドをスタンドに取り付けたヘッド取付アームに組み込んだ例の収納状態を示す側面図である。
【図５１】本発明の好ましい実施の形態における他の内部構造を示す概略説明図である。
【符号の説明】
１  ヘッド
２  蒸気発生機構
３  ミスト発生機構
４  後部ヘア処理部
５  頂部ヘア処理部
６  側部ヘア処理部
７  可動機構
９  上下位置調整機構
10  左右位置調整機構
11  ヘッド取付用アーム
13  加熱機
14  送風機
15  噴霧ノズル
16  アーム
20  ストッパ機構
22  液垂れ防止機構
22a  ノズル部
22b  堰
23  ヒータ
24  吸水体
25  鋭角部
35  混合器
36  分岐部
36a  送出管
36b  送出管
37a  開閉弁
37b  開閉弁
38  結露タンク
39  結露タンク
41  排出管
50  分配部
80  ローラ式ストッパ機構
90  ロックピン付回動枠機構
100  加湿用気体噴霧部材
101  ホース
102  フレキシブルアーム
107  アームパイプ
110  トルマリン粉末を含有させたプラスチックパイプ
120  足押し部
130  動き止めストッパ機構
150  角度調整ストッパ機構
160  遮蔽部材
170  測距機構
【図１】
0003739344.tif 000002
【図２】
0003739344.tif 000003
【図３】
0003739344.tif 000004
【図４】
0003739344.tif 000005
【図５】
0003739344.tif 000006
【図６】
0003739344.tif 000007
【図７】
0003739344.tif 000008
【図８】
0003739344.tif 000009
【図９】
0003739344.tif 000010
【図１０】
0003739344.tif 000011
【図１１】
0003739344.tif 000012
【図１２】
0003739344.tif 000013
【図１３】
0003739344.tif 000014
【図１４】
0003739344.tif 000015
【図１５】
0003739344.tif 000016
【図１６】
0003739344.tif 000017
【図１７】
0003739344.tif 000018
【図１８】
0003739344.tif 000019
【図１９】
0003739344.tif 000020
【図２０】
0003739344.tif 000021
【図２１】
0003739344.tif 000022
【図２２】
0003739344.tif 000023
【図２３】
0003739344.tif 000024
【図２４】
0003739344.tif 000025
【図２５】
0003739344.tif 000026
【図２６】
0003739344.tif 000027
【図２７】
0003739344.tif 000028
【図２８】
0003739344.tif 000029
【図２９】
0003739344.tif 000030
【図３０】
0003739344.tif 000031
【図３１】
0003739344.tif 000032
【図３２】
0003739344.tif 000033
【図３３】
0003739344.tif 000034
【図３４】
0003739344.tif 000035
【図３５】
0003739344.tif 000036
【図３６】
0003739344.tif 000037
【図３７】
0003739344.tif 000038
【図３８】
0003739344.tif 000039
【図３９】
0003739344.tif 000040
【図４０】
0003739344.tif 000041
【図４１】
0003739344.tif 000042
【図４２】
0003739344.tif 000043
【図４３】
0003739344.tif 000044
【図４４】
0003739344.tif 000045
【図４５】
0003739344.tif 000046
【図４６】
0003739344.tif 000047
【図４７】
0003739344.tif 000048
【図４８】
0003739344.tif 000049
【図４９】
0003739344.tif 000050
【図５０】
0003739344.tif 000051
【図５１】
0003739344.tif 000052